(57)【特許請求の範囲】
【請求項１】
閾値と警報点滅スイッチ（２０）の投入信号を比較する警報点滅入力端子（６）を備えた入力比較器回路（２６）、電子点滅信号発生器に電圧を供給するバッテリー端子（２）を備えた電圧供給回路（２８）、点滅リレーを制御するリレードライバ出力端子（１）を備えたリレードライバ回路（２７）、及び点滅の際に点滅ランプ（１９）の明−及び暗段階を時間制御する制御ユニット（３０）を有する、警報点滅を行なう車両用の電子点滅信号発生器において、
ａ）警報点滅スイッチ（２０）を閉じた際に電圧供給を投入するために入力比較器回路（２６）が、第１の接続線（３６）によって電圧供給回路（２８）に接続されており、
ｂ）入力比較器回路（２６）が、第１の接続線（３６）を介して、警報点滅スイッチ（２０）を閉じた際に明段階の間に保持信号をセットするように信号保持回路（２９）にも接続されており、
ｃ）明−及び暗段階の時間経過を制御する制御ユニット（３０）が、データ線（４１）によってリレードライバ回路（２７）に接続されており、
ｄ）制御ユニット（３０）が、第２の接続線（３８）によって、警報点滅スイッチ（２０）を開いた際に保持信号をリセットするように信号保持回路（２９）に接続されており、かつ
ｅ）信号保持回路（２９）が、第３の接続線（３９）によって、保持信号をセットした際に電圧供給を維持しかつ保持信号をリセットした際に電圧供給を遮断するように電圧供給回路（２８）に接続されている
ことを特徴とする、警報点滅を行なう車両用の電子点滅信号発生器。
【請求項２】
信号保持回路（２９）が、第３の接続線（３９）によって、デコーダマトリクス（３３）を有する周波数上昇回路にも信号を供給し、かつそれにより点滅ランプ（１９）が故障した際に、動作モード“警報点滅”において、点滅の際の周波数上昇を中止することを特徴とする、請求項１に記載の回路装置。
【請求項３】
信号保持回路（２９）が、第３の接続線（３９）によって、メモリ（３４）を有する論理回路にも信号を供給し、かつそれにより動作モード“警報点滅”において、追加的に接続された点滅ランプ（１９）が、ランプ故障監視閾値の上昇に至らないことを特徴とする、請求項１に記載の回路装置。
【請求項４】
入力比較器回路（２６）と信号保持回路（２９）との間に、衝突防止回路（３２）が接続されていることを特徴とする、請求項１に記載の回路装置。
【請求項５】
衝突防止回路（３２）が、そのそれぞれの出力を相応して論理結合した互いに前後に接続されたフリップフロップの形のディジタル衝突防止回路であることを特徴とする、請求項４に記載の回路装置。
【請求項６】
クロックを発生する発振器回路（３１）が、第４の接続線（４０）を介してディジタル衝突防止回路（３２）及び制御回路（３０）に接続されていることを特徴とする、請求項１、４及び５の１つに記載の回路装置。
【請求項７】
警報点滅スイッチ（２０）の位置のチェックが、暗段階の間に、すなわち点滅ランプ（１９）が遮断された際に行なわれることを特徴とする、請求項１に記載の回路装置。
【請求項８】
回路装置が集積回路（１６）として実現されており、かつ８端子ハウジング内に配置されていることを特徴とする、請求項１ないし７の１つに記載の回路装置。
【発明の詳細な説明】
【０００１】
【発明の属する技術分野】
本発明は、閾値と警報点滅スイッチの投入信号を比較する警報点滅入力端子を備えた入力比較器回路、電子点滅信号発生器に電圧を供給するバッテリー端子を備えた電圧供給回路、点滅リレーを制御するリレードライバ出力端子を備えたリレードライバ回路、及び点滅の際に点滅ランプの明−及び暗段階を時間制御する制御ユニットを有する、警報点滅を行なう車両用の電子点滅信号発生器に関する。
【０００２】
【従来の技術】
一方において以前によく使われた追加的な機械的スイッチを用いなくとも間に合うように、機能“警報点滅”を電子点滅信号発生器に統合できるようにするために、かつ他方においてこのような電子点滅信号発生器のために８端子ハウジングで十分であるようにするために、電子点滅信号発生器の制御入力端子は、さらに説明するように、２つの異なった機能のために利用しなければならない。
【０００３】
点滅回路の基本回路図を示す図１によれば、点滅ランプ１９を含む電子点滅信号発生器１０の集積回路１６は、抵抗Ｒ４を介しかつ警報点滅スイッチ２０によって基準電位に接続した際に集積回路１６を動作モード“警報点滅”に切換える制御入力端子６、及びリレー接点１７’及び１７”を有するリレー１７を制御するリレードライバ出力端子１を有する。リレー１７の第２の端子は、端子１５（端子３１）を介して基準電位に接続されている。リレー接点１７’は、一方において抵抗Ｒ３（分路）及び端子１４（端子３０）を介し、かつ他方において端子１３（端子ＨＷ）及び警報点滅スイッチ２０を介して、車両バッテリー２３と点滅ランプ１９との間の接続を行なう。
【０００４】
警報点滅スイッチ２０が閉じられると、抵抗Ｒ４、警報点滅スイッチ２０及び点滅ランプ１９を介して制御入力端子６に、短期的にアース電位が加わり、それにより集積回路１６は、動作モード“警報点滅”に切換えられる。リレー１７が、その接点１７’を閉じるとすぐに、端子１４、分路Ｒ３及び抵抗Ｒ４を介して制御入力端子６に、車両バッテリー２３の供給電圧が加わり、それにより動作モード“警報点滅”は遮断される。しかし警報点滅スイッチ２０は、引続き閉じているので、リレー接点１７’が開いた際、動作モード“警報点滅”は再び投入され、したがって集積回路１６は、振動動作に移行する。
【０００５】
この振動動作を避けるために、集積回路１６内において信号保持回路は、警報点滅スイッチ２０の閉鎖によって制御入力端子６に加わるアース電位を、警報点滅スイッチ２０が閉じられているかぎり、維持するように配慮している。
【０００６】
ドイツ連邦共和国特許第４１１３４５５号明細書により公知の必要な保持機能を有する回路装置は、動作モード“警報点滅”において、低レベルを維持するために追加的に集積回路（ＩＣ）内に集積化された抵抗（Ｒ８）、外部の第２の分路（Ｒ７）及び比較器（Ｋ１）が必要であるという欠点を有する。比較器（Ｋ１）は、動作モード“警報点滅”を投入できるようにするために、点火を遮断した際にも活性に維持しなければならないので、典型的に１００μＡの不動作電流が流れている。
【０００７】
【発明が解決しようとする課題】
それ故に本発明の課題は、前記の欠点を回避する警報点滅のための電子点滅信号発生器を提供することにある。
【０００８】
【課題を解決するための手段】
この課題は、閾値と警報点滅スイッチの投入信号を比較する警報点滅入力端子を備えた入力比較器回路、電子点滅信号発生器に電圧を供給するバッテリー端子を備えた電圧供給回路、点滅リレーを制御するリレードライバ出力端子を備えたリレードライバ回路、及び点滅の際に点滅ランプの明−及び暗段階を時間制御する制御ユニットを有する、警報点滅を行なう車両用の電子点滅信号発生器によって、次のようにして解決される。すなわち
・警報点滅スイッチを閉じた際に電圧供給を投入するために入力比較器回路が、第１の接続線によって電圧供給回路に接続されており、
・入力比較器回路が、第１の接続線を介して、警報点滅スイッチを閉じた際に明段階の間に保持信号をセットするように信号保持回路にも接続されており、
・明−及び暗段階の時間経過を制御する制御ユニットが、データ線によってリレードライバ回路に接続されており、
・制御ユニットが、第２の接続線によって、警報点滅スイッチを開いた際に保持信号をリセットするように信号保持回路に接続されており、かつ
・信号保持回路が、第３の接続線によって、保持信号をセットした際に電圧供給を維持しかつ保持信号をリセットした際に電圧供給を遮断するように電圧供給回路に接続されている。
【０００９】
本発明の利点は、次の点にある。すなわち本発明による電子点滅信号発生器のために、わずかだけの外部構成要素しか必要なく、かついくつかのメモリセルを除いて、警報点滅スイッチを遮断した際にすべての内部回路部分は遮断されているので、回路装置は、なおわずかに１０μＡの不動作電流しか生じない。
【００１０】
本発明の有利な変形は、特許請求の範囲従属請求項に記載されている。
【００１１】
【発明の実施の形態】
次に本発明の実施例を詳細に説明し、かつ図面によって示す。
【００１２】
図１に示された基本回路図によれば、電子点滅信号発生器１０は、３つの制御入力端子を有し：すなわち点火１１（端子１５）、方向指示点滅スイッチ１２（端子４９ａ）及び警報点滅スイッチ１３（端子ＨＷ）を有し；これら３つの制御入力端子の他に別の端子として、なおバッテリー端子１４（端子３０）、及び基準電位端子１５（端子３１）が設けられている。電子点滅信号発生器１０の集積回路１６は、８つの外部接続ピン１ないし８を有し、すなわちこの集積回路は、例えば８端子ＤＩＰハウジング、又はＳＯ８ハウジング内に配置することができる。
【００１３】
集積回路１６の接続ピンとして、例えばいわゆるリレードライバ出力端子１（ここにはリレーの巻線の代わりに、例えば電力ＭＯＳＦＥＴのベースが接続されていてもよい）、端子３０に加えられるバッテリー電圧Ｖｂａｔｔのための端子２、集積回路１６の基準電位のための端子３、端子１５のための入力端子４（点火入力端子）、警報点滅入力端子６、測定入力端子７、同様に端子３０におけるバッテリー電圧に接続されかつ測定入力端子７のための基準電位をなす入力端子５、及び方向指示点滅入力端子８が設けられている。
【００１４】
端子２と３の間にコンデンサＣ１が配置されており、このコンデンサは、負の妨害電圧の際に保護容量として作用する。オーム性抵抗Ｒ１、Ｒ２、Ｒ４又はＲ５は、妨害パルス及び誤極性接続から集積回路１６を保護するために、端子４、３、６又は８への供給線内に配置されている。低オーム性の抵抗Ｒ３（例えば２０ｍΩを有する）は、測定抵抗（分路）として利用される。
【００１５】
集積回路１６の端子１に、切換え要素として点滅リレー１７が接続されており、この点滅リレーの２つのリレー接点１７’及び１７”は、警報点滅スイッチ２０を介し又は方向指示点滅スイッチ２１を介して、負荷として点滅ランプ１９を活性化する。追加的に図１になお、端子１５に接続される点火スイッチ２２及び車両の車両バッテリー２３が示されており、その際、点火スイッチ２２を遮断した際にも点滅ランプ１９を活性化できなければならない警報点滅スイッチ２０の正確な配線は、専門家には周知であり、かつそれ故に図示されていない。
【００１６】
図２は、動作モード“警報点滅”にとって重要な集積回路１６（図１）内に含まれた回路装置の部分を示しており、この部分は、アナログ回路部分２４とディジタル回路部分２５とからなる。アナログ回路部分２４は、動作モード“警報点滅”を投入した際に警報点滅スイッチ２０から到来する投入信号を所定の閾値と比較する警報点滅入力端子ピン６を有する入力比較器回路２６、リレー１７（図１）を制御するリレードライバ出力端子ピン１を有するリレードライバ回路２７、及びバッテリー端子ピン２からの接続線４２及びアナログ回路部分２４及びディジタル回路部分２５の電圧供給のための接続線３５を有する電圧供給回路２８を含んでいる。
【００１７】
ディジタル回路部分２５内に、例えばディジタルフリップフロップの形の信号保持回路２９、及び時間経過制御部、もっとも重要な回路部分を含む制御ユニット３０が含まれている。さらにクロックを発生する発振器回路３１、例えばそのそれぞれの出力端子を相応して論理結合した複数の前後に接続されたフリップフロップからなる衝突防止回路３２、点滅ランプ１９（図１）が故障した際に動作モード“方向指示点滅”において点滅周波数を上昇するデコーダマトリクス３３を含む周波数上昇回路、及び例えばトレーラの接続によって加わる点滅ランプを認識しかつそれに関してランプ故障監視閾値を上昇するメモリ３４を含む論理回路が加わる。
【００１８】
接続線３６は、入力比較器回路２６を電圧供給回路２８に及び衝突防止回路３２に接続している。信号保持回路２９は、衝突防止回路３２の信号により接続線３７によってセットされ、かつ制御ユニット３０の信号により接続線３８によってリセットされ、かつ他方において接続線３９によって、制御ユニット３０、電圧供給回路２８、周波数上昇回路３３及び論理回路３４に信号を供給する。発振器回路３１は、接続線４０によって、ディジタル回路部分、例えば衝突防止回路３２及び制御ユニット３０にクロック信号を供給する。最後に衝突防止回路３２は、接続線３７を介してなお制御ユニット３０に接続されており、かつデータ線４１は、リレードライバ回路２７、メモリ３４を有する論理回路、デコーダマトリクス３３を有する周波数上昇回路及び制御ユニットを、互いに接続する。
【００１９】
図３に、動作モード“警報点滅”における集積回路１６（図１）の種々のピンにおける信号経過の時間線図が示されており、しかも線図３ａは、警報点滅入力端子ピン６における時間的な信号経過を示し、線図３ｂは、信号保持回路２９（図２）の出力端子における時間的な信号経過を示し、かつ線図３ｃは、リレードライバ出力端子ピン１における時間的な信号経過を示している。
【００２０】
さらに図１ないし３によって、点火を遮断した際の動作モード“警報点滅”の経過を説明する。
【００２１】
警報点滅スイッチ２０を開いた際、入力比較器回路２６を除いて、電圧供給回路２８における供給電圧Ｖｓの遮断によって、回路部分２７ないし３４は遮断されている。例えば時点ｔ１に警報点滅スイッチ２０を閉じた際、集積回路１６の警報点滅入力端子ピン６に生じる高レベルは、抵抗Ｒ４、警報点滅スイッチ２０及び警報ランプ１９を介して短期的にアース電位（低レベル）に引っ張られる。それにより一方において（点火を遮断した際に遮断された）電圧供給回路２８は、接続線３６における信号によって活性化され、かつそれにより供給電圧Ｖｓは、集積回路１６の回路部分２７ないし３４に供給するために準備される。接続線３６における信号は、衝突防止回路３２にも供給され、この衝突防止回路は、再びこの時に衝突防止された信号によって接続線３７を介して信号保持回路２９における保持信号をセットし、かつ制御ユニット３０にも信号を供給する。制御ユニット３０は、それから確定された時間経過計画にしたがってその後のすべての経過を制御し始め、とくにデータ線４１によってリレードライバ回路２７に適当な命令を供給することによって点滅の際の明−及び暗段階を制御し始める。
【００２２】
他方においてリレードライバ回路２７は、例えば時点ｔ２にリレードライパ出力端子ピン１を介して点滅リレー１７に信号を供給し、それによりリレー接点１７’及び１７”を介して点滅ランプ１９を通って電流が流れ、かつ明段階が始まる（点滅ランプ１９は明るい）。時間経過制御によって確定された明段階の期間が経過した後に、リレードライバ出力端子ピン１は、制御ユニット３０によってリセットされるので、例えば時点ｔ３に暗段階が始まる（点滅ランプ１９は暗い）。
【００２３】
点滅ランプ１９が高オーム性になるとすぐに、別の処置を用いないと、集積回路１６が不所望な振動動作に移行することは、すでに述べた。このことを回避するために、信号保持回路２９内において警報点滅スイッチ２０の投入の際に短期的に供給される低信号によって発生される高レベルは、保持信号として引続き維持される（曲線経過３ｂ参照）。接続線３９によって電圧供給回路２８に供給されるこの保持信号は、警報点滅スイッチ２０を閉じかつ点滅ランプ１９が点灯した際の供給電圧Ｖｓ（警報点滅出力端子ピン６における高レベル）を維持し、したがって回路部分２７ないし３４を投入されたままに維持するようにする。
【００２４】
信号保持回路２９の出力端子から接続線３９に生じる信号は、加えて１つ又は複数の点滅ランプ１９の故障の際に、周波数上昇回路３３が周波数上昇を行なわないようにする。なぜなら点滅ランプ１９の故障の際の周波数上昇は、動作モード“方向指示点滅”においてだけ（右又は左への点滅）、したがって点火を投入した際にだけ行なわれるからである。さらにこの信号は、（動作モード“警報点滅”において点火を遮断した際）通常動作において点火を投入した際の場合のように、例えばトレーラの接続によって点滅回路に別の点滅ランプ１９が加わったかどうかを、論理回路３４がチェックしないようにする。
【００２５】
それぞれの暗段階の間に、警報点滅スイッチ２０の位置がチェックされる。警報点滅スイッチ２０が閉じているかぎり、暗段階の経過の後に、例えば時点ｔ４に、リレードライバ回路２７においてリレードライパ出力ピン１が制御ユニット３０の信号によってデータ線４１を介して例えば時点ｔ５まで再び活性化されることによって、別の明段階が開始される。
【００２６】
例えば時点ｔ６に警報点滅スイッチ２０が開かれ、したがって機能“警報点滅”は遮断される。しかしながら信号保持回路２９に生じる保持信号は、時点ｔ６に即座に取消されるのではなく、時点ｔ６から始まる暗段階が例えば時点ｔ７に経過したときに始めて取消される。保持信号を消去するために、信号保持回路２９に時点ｔ７に接続線３８を介して制御ユニット３０からリセット信号が供給される。信号保持回路２９の出力端子に生じる信号は、取消され、かつ電圧供給回路２８は、それから遮断される。明段階の間に警報点滅スイッチ２０を開くと、信号保持回路２９において保持信号が取消される前に、まず現在の明段階が、かつそれからそれに続く暗段階が遮断される。
【００２７】
警報点滅を行なう車両用の説明した回路装置は、８つの端子を有する集積回路に収容されており、かつとくに１０μＡのきわめて小さな不動作電流の点で傑出している。
【図面の簡単な説明】
【図１】集積回路を有する電子点滅信号発生器の基本回路図である。
【図２】集積回路に含まれた回路装置の一部を示す図である。
【図３】動作モード“警報点滅”において集積回路の種々の端子に生じる信号経過を示す時間線図である。
【符号の説明】
１  リレードライバ出力端子
２  バッテリー端子
６  警報点滅入力端子
１６  集積回路
１９  点滅ランプ
２０  警報点滅スイッチ
２６  入力比較器回路
２７  リレードライバ回路
２８  電圧供給回路
２９  信号保持回路
３０  制御ユニット
３１  発振器回路
３２  衝突防止回路
３３  デコーダマトリクス
３４  メモリ
３６  接続線
３９  接続線
４０  接続線
４１  データ線
【図１】
0004253810.tif 000002
【図２】
0004253810.tif 000003
【図３】
0004253810.tif 000004